(57)【特許請求の範囲】
【請求項１】
手首挿入部、親指挿入部、人差指挿入部及び小指挿入部を備えると共に、中指挿入部及び薬指挿入部の２つの挿入部のうちの１つ以上を備えるか又は当該２つの挿入部を備えないスポーツ用グローブであって、
手甲側のグローブ外郭における、前記人差指挿入部、前記中指挿入部、前記薬指挿入部及び前記小指挿入部に対応する領域は、１枚の第１手甲側シートからなり、
グローブ外郭は、掌側が凹で手甲側が凸になるように湾曲しており、
前記第１手甲側シートにおける前記人差指挿入部に対応する領域が延びる方向と前記小指挿入部に対応する領域が延びる方向とがなす角度は、６０〜１４０度である、
スポーツ用グローブ。
【請求項２】
手甲側のグローブ外郭における、前記手首挿入部及び前記親指挿入部に対応する領域は、１枚の第２手甲側シートからなる、
請求項１に記載のスポーツ用グローブ。
【請求項３】
前記親指挿入部と前記人差指挿入部との間に、前記親指挿入部と前記人差指挿入部とを接続する接続部を更に備える、
請求項１又は２に記載のスポーツ用グローブ。
【発明の詳細な説明】
【技術分野】
【０００１】
本発明は、野球用グローブ等のスポーツ用グローブに関する。
【背景技術】
【０００２】
野球（ソフトボール等の野球に類する球技を含む。以下同じ。）用グローブは、一般的に、手首挿入部、親指挿入部、人差指挿入部、中指挿入部、薬指挿入部及び小指挿入部を有する手袋状のグローブ本体を備える。また、手甲側のグローブ外郭は手甲側生地から形成され、掌側のグローブ外郭は掌側生地から形成されている。人差指挿入部、中指挿入部、薬指挿入部及び小指挿入部に対応する手甲側生地は、各挿入部ごとに複数枚の生地片を縫い合わせて形成される（例えば、下記特許文献１参照）。
【先行技術文献】
【特許文献】
【０００３】
【特許文献１】特開２００８−２２０５７４号公報
【発明の概要】
【発明が解決しようとする課題】
【０００４】
野球用グローブ等のスポーツ用グローブにおいては、手甲側のグローブ外郭を簡易に形成することが望まれている。
【０００５】
本発明の目的は、手甲側のグローブ外郭を簡易に形成することができるスポーツ用グローブを提供することにある。
【課題を解決するための手段】
【０００６】
本発明は、手首挿入部、親指挿入部及び人差指挿入部を備えると共に、中指挿入部、薬指挿入部及び小指挿入部の３つの挿入部のうちの１つ以上を備えるか又は当該３つの挿入部を備えないスポーツ用グローブであって、手甲側のグローブ外郭における、前記人差指挿入部、前記中指挿入部、前記薬指挿入部及び前記小指挿入部に対応する領域は、１枚の第１手甲側シートからなり、グローブ外郭は、掌側が凹で手甲側が凸になるように湾曲している、スポーツ用グローブに関する。
【０００７】
また、前記第１手甲側シートにおける前記人差指挿入部に対応する領域が延びる方向と前記小指挿入部に対応する領域が延びる方向とがなす角度は、６０〜１４０度であってもよい。
【０００８】
また、手甲側のグローブ外郭における、前記手首挿入部及び前記親指挿入部に対応する領域は、１枚の第２手甲側シートからなってもよい。
【０００９】
また、前記親指挿入部と前記人差指挿入部との間に、前記親指挿入部と前記人差指挿入部とを接続する接続部を更に備えてもよい。
【発明の効果】
【００１０】
本発明によれば、手甲側のグローブ外郭を簡易に形成することができるスポーツ用グローブを提供することができる。
【図面の簡単な説明】
【００１１】
【図１】本発明のスポーツ用グローブの一実施形態としての野球用グローブ１を手甲側の左側（外側）からを視た斜視図である。
【図２】本実施形態の野球用グローブ１を手甲側の右側（内側）からを視た斜視図である。
【図３】本実施形態の野球用グローブ１を掌側から視た斜視図である。
【図４】人差指挿入部、中指挿入部、薬指挿入部及び小指挿入部に対応する第１手甲側生地３２を示す展開図である。
【図５】手首挿入部及び親指挿入部に対応する第２手甲側生地３３を示す展開図である。
【発明を実施するための形態】
【００１２】
図面を参照して、本発明のスポーツ用グローブの一実施形態としての野球用グローブ１について説明する。図１は、本発明のスポーツ用グローブの一実施形態としての野球用グローブ１を手甲側の左側（外側）からを視た斜視図である。図２は、本実施形態の野球用グローブ１を手甲側の右側（内側）からを視た斜視図である。図３は、本実施形態の野球用グローブ１を掌側から視た斜視図である。図４は、人差指挿入部、中指挿入部、薬指挿入部及び小指挿入部に対応する第１手甲側生地３２を示す展開図である。図５は、手首挿入部及び親指挿入部に対応する第２手甲側生地３３を示す展開図である。
【００１３】
図１〜図３に示すように、本実施形態の野球用グローブ１は、野球（ソフトボール等の野球に類する球技を含む。以下同じ。）において、一般的に球技者の利き手と反対の手（本実施形態では左手）に装着して使用されるグローブである。
【００１４】
野球用グローブ１は、手袋状のグローブ本体１０と、皮革製又は同等の材質製の捕球用ウェブ２１と、を備える。グローブ本体１０は、手首挿入部１１と、親指挿入部１２と、人差指挿入部１３と、中指挿入部１４と、薬指挿入部１５と、小指挿入部１６とを備える。捕球用ウェブ２１は、親指挿入部１２と人差指挿入部１３との間に設けられ、親指挿入部１２と人差指挿入部１３とを接続する。各部位同士は、多数の連結紐２２により連結されている。また、連結紐２２は、各部位を構成する各構成要素も連結する。
【００１５】
グローブ本体１０においては、手甲側のグローブ外郭３は、手甲側生地３１から形成され、掌側のグローブ外郭４は、掌側生地４１から形成されている。手甲側生地３１と掌側生地４１とが縫い合わされて、手袋状のグローブ外郭は形成される。各指挿入部１２〜１６の内部には、布、生地、皮革などから形成される指袋（不図示）が挿入されている。
【００１６】
本実施形態においては、手甲側生地３１及び掌側生地４１は布、生地、皮革などから形成されている。図１、図２、図４及び図５に示すように、手甲側生地３１は、２枚の生地から、具体的には、人差指挿入部１３、中指挿入部１４、薬指挿入部１５及び小指挿入部１６に対応する第１手甲側生地３２（第１手甲側シート）と、手首挿入部１１及び親指挿入部１２に対応する第２手甲側生地３３（第２手甲側シート）と、からなる。
【００１７】
図１〜図３に示すように、グローブ外郭は、掌側が凹で手甲側が凸になるように湾曲している。本実施形態においては、湾曲形状は３次元曲面である。なお、湾曲形状は２次元曲面であってもよい。
【００１８】
図４に示すように、第１手甲側生地３２は、人差指挿入部１３に対応する人差指対応領域３２３と、中指挿入部１４に対応する中指対応領域３２４と、薬指挿入部１５に対応する薬指対応領域３２５と、小指挿入部１６に対応する小指対応領域３２６と、手首挿入部１１の一部に対応する第１手首対応領域３２１と、を備える。各対応領域３２３〜３２６、３２１はそれぞれ異なる方向に延びている。
【００１９】
第１手甲側生地３２における人差指対応領域３２３が延びる方向Ｄ１と、小指対応領域３２６が延びる方向Ｄ２とがなす角度θは、好ましくは６０〜１４０度であり、更に好ましくは９０〜１４０度である。
【００２０】
図５に示すように、第２手甲側生地３３は、手首挿入部１１に対応する第２手首対応領域３３１と、親指挿入部１２に対応する親指対応領域３３２と、を備える。手甲側のグローブ外郭３における、手首挿入部１１及び親指挿入部１２に対応する領域３３１，３３２は、１枚の第２手甲側生地３３からなる。各対応領域３３１、３３２はそれぞれ異なる方向に延びている。
【００２１】
手甲側生地３１（第１手甲側生地３２、第２手甲側生地３３）及び掌側生地４１の各々には、多数の紐通穴２３が穿設されている。紐通穴２３は、連結紐２２に対応する位置に設けられる。紐通穴２３は、例えば、グローブ本体１０における各挿入部１２〜１６の先端部（手先側端部）の隣接部位同士などを連結したり、グローブ本体１０と捕球用ウェブ２１とを連結したり、第１手甲側生地３２の第１手首対応領域３２１と第２手甲側生地３３の第２手首対応領域３３１とを連結したりするための位置に設けられる。
【００２２】
次に、本実施形態の野球用グローブ１の製造方法の一例について説明する。手甲側生地３１（第１手甲側生地３２、第２手甲側生地３３）、掌側生地４１、指袋などを縫い合わせてグローブ本体１０を形成する。連結紐２２によって、各部位を構成する各構成要素を連結したり、グローブ本体１０における各挿入部１２〜１６の先端部（手先側端部）の隣接部位同士などを連結したり、別工程で形成した捕球用ウェブ２１とグローブ本体１０とを連結したり、第１手甲側生地３２の第１手首対応領域３２１と第２手甲側生地３３の第２手首対応領域３３１とを連結したりする。その他の工程も経て、本実施形態の野球用グローブ１は製造される。
【００２３】
本実施形態の野球用グローブ１によれば、例えば以下の効果が奏される。
本実施形態においては、手甲側のグローブ外郭３における、人差指挿入部１３、中指挿入部１４、薬指挿入部１５及び小指挿入部１６に対応する領域３２３〜３２６は、１枚の第１手甲側生地３２からなり、グローブ外郭は、掌側が凹で手甲側が凸になるように湾曲している。そのため、掌側が凹で手甲側が凸になるように湾曲しているグローブ外郭を備える野球用グローブ１（スポーツ用グローブ）において、手甲側のグローブ外郭３を簡易に形成することができ、延いては、グローブ本体１０を簡易に形成することができる。
【００２４】
また、手甲側のグローブ外郭３における、手首挿入部１１及び親指挿入部１２に対応する領域３３１，３３２は、１枚の第２手甲側生地３３からなる。そのため、手首挿入部１１及び親指挿入部１２を簡易に形成することができ、延いては、グローブ本体１０を簡易に形成することができる。
【００２５】
〔その他の実施形態〕
前記実施形態においては、手甲側生地３１は、別体の第１手甲側生地３２と第２手甲側生地３３とから構成されているが、これに制限されない。グローブ本体１０の形状などによっては、手甲側生地３１は、１枚の生地から構成されてもよい。
【００２６】
本発明は、野球（ソフトボール等の野球に類する球技を含む。）用グローブ以外のスポーツ用グローブに適用されることができる。適用可能なグローブとしては、例えば、格闘技用のオープンフィンガーグローブ、ボクシンググローブ、ゴルフグローブ、サイクリンググローブ等が挙げられる。
【００２７】
本発明のスポーツ用グローブは、手首挿入部、親指挿入部及び人差指挿入部を備えていればよい。例えば、本発明には、以下の挿入部を備えている形態が含まれる。なお、中指挿入部、薬指挿入部及び小指挿入部の３つの挿入部のうちの１つ以上を備えていない形態における第１手甲側生地３２（第１手甲側シート）においては、備えていない挿入部に対応する領域は設けられない。
【００２８】
【表１】
0006505461.tif 000002
【００２９】
各挿入部における先端側（挿入口とは反対側）は、閉鎖されておらず、開口していてもよい。
第１手甲側生地３２（第１手甲側シート）、第２手甲側生地３３（第２手甲側シート）及び掌側生地４１は、生地に制限されず、生地以外のシート（例えば、合成樹脂製シート）であってもよい。
【００３０】
前記実施形態においては、親指挿入部１２と人差指挿入部１３との間に、親指挿入部１２と人差指挿入部１３とを接続する捕球用ウェブ２１が設けられている。しかし、親指挿入部１２と人差指挿入部１３とを接続できれば、捕球用ウェブ２１以外の接続部（例えば、ゴム紐）であってもよい。
【符号の説明】
【００３１】
１  野球用グローブ（スポーツ用グローブ）
３  手甲側のグローブ外郭
４  掌側のグローブ外郭
１０  グローブ本体
１１  手首挿入部
１２  親指挿入部
１３  人差指挿入部
１４  中指挿入部
１５  薬指挿入部
１６  小指挿入部
２１  捕球用ウェブ（接続部）
２２  連結紐
２３  紐通穴
３１  手甲側生地
３２  第１手甲側生地（第１手甲側シート）
３３  第２手甲側生地（第２手甲側シート）
４１  掌側生地
３２１  第１手首対応領域
３２３  人差指対応領域
３２４  中指対応領域
３２５  薬指対応領域
３２６  小指対応領域
３３１  第２手首対応領域
３３２  親指対応領域
Ｄ１  人差指挿入部に対応する領域が延びる方向
Ｄ２  小指挿入部に対応する領域が延びる方向
θ  方向Ｄ１と方向Ｄ２とがなす角度
【図１】
0006505461.tif 000003
【図２】
0006505461.tif 000004
【図３】
0006505461.tif 000005
【図４】
0006505461.tif 000006
【図５】
0006505461.tif 000007